(57)【要約】【課題】経年とともに風化するおそれのない表示を備えることで、刻印の表示が判別できなくなるのを防ぐことができる。【解決手段】まくらぎ本体２の製造年等の所定の内容を表示する第１表示部１０及び第２表示部２０を備えたＰＣまくらぎ１であって、前記両表示部１０，２０は、それぞれ色彩の異なる複数の棒状体１１〜１４，２１〜２６からなり、それら棒状体１１〜１４，２１〜２６を所定の表示情報に対応させて並設し、かつ、それら並設された棒状体１１〜１４，２１〜２６の端面が前記まくらぎ本体２の表面に表れるようにそのまくらぎ本体２に埋設した構成のＰＣまくらぎを提供する。【選択図】図１
2015140589.tif 000002
【特許請求の範囲】
【請求項１】
まくらぎ本体の所定の情報を表示する表示部を備えたプレストレストコンクリート製のＰＣまくらぎであって、
前記表示部は、色彩の異なる複数の棒状体からなり、それら棒状体を所定の表示情報に対応させて並設し、且つ、それら並設された棒状体の端面が前記まくらぎ本体の表面に表れるようにそのまくらぎ本体に埋設したことを特徴とするＰＣまくらぎ。
【請求項２】
前記棒状体は、カラーモルタルからなることを特徴とする請求項１に記載のＰＣまくらぎ。
【請求項３】
前記棒状体は、所定長さを有する直方体からなることを特徴とする請求項１又は２に記載のＰＣまくらぎ。
【請求項４】
前記並設された棒状体の端面の表れる前記まくらぎ本体の面は、列車の走行するレールを支える面であることを特徴とする請求項１乃至３のいずれか１項に記載のＰＣまくらぎ。
【発明の詳細な説明】
【技術分野】
【０００１】
本発明は、ＰＣまくらぎに係り、特に、ＰＣまくらぎの製造年等の所定の内容を表示する表示部を備えたものに関する。
【背景技術】
【０００２】
近年、列車の走行するレールを支えるまくらぎは、特許文献１に示されるように、木製からプレストレストコンクリート（Ｐｒｅｓｔｒｅｓｓｅｄ  Ｃｏｎｃｒｅｔｅ）製のまくらぎであるＰＣまくらぎがその役割を担っている。ＰＣまくらぎは、プレストレストコンクリート製なので、繰り返して作用する電車荷重に対して強く、また、天候等の自然環境の影響も受け難いので、木製のまくらぎに比べて寿命が長くなる等の優れた特長を有している。
【０００３】
日本工業規格（ＪＩＳ）では、ＰＣまくらぎの上面（レールの載置される面）の端部付近の見やすい位置には、製造年等の所定の内容を表示することが義務づけられている。すなわち、この「ＪＩＳ Ｅ １２０１−１９９０の１１．表示」の項には、まくらぎの上面端部付近の見やすい位置に、（１）種類の記号、（２）製造業者名又はその略号及び（３）製造年の略号（西暦年号の末尾２桁）を刻印しなければならないと規定されている。このＰＣまくらぎの上面へ刻印された表示情報は、ＰＣまくらぎの初期変状が発生した時の原因究明に用いられる。
【０００４】
ＰＣまくらぎの上面への刻印の生成は、まくらぎ製造時に型枠に製造年等の所定の内容を印字した凸型のプレートを埋め込み、その状態で型枠内にコンクリートを打設することにより行われている。そのため、ＰＣまくらぎの上面には、凸型のプレートに対応して生成された凹型状の所定の内容が刻印される。
【先行技術文献】
【特許文献】
【０００５】
【特許文献１】特開２００６−２１４２１９号公報
【発明の概要】
【発明が解決しようとする課題】
【０００６】
しかしながら、従来のＰＣまくらぎは、その上面に刻印により付される表示情報は、経年とともに風化が進行して判別できなくなるという欠点があった。すなわち、従来のＰＣまくらぎの刻印は、ＰＣまくらぎの初期の製造履歴を管理するには有効であったが、雨風、バラストとの接触や衝突、あるいは砂垢等の外的作用により経年とともにＰＣまくらぎの表面の風化が進んで、刻印の内容が判別できなくなるという欠点があった。特に、ＰＣまくらぎは、１９５０年代から導入されていて、経年が５０年を超えるものも存在するが、このような経年の大きいＰＣまくらぎにおいては、風化が顕著で、刻印の内容が判別できにくくなっていた。
【０００７】
また、ＰＣまくらぎの変状は、製造直後の初期段階の変状だけでなく、塩害、凍害及びアルカリ骨材反応等の経年とともに変状が発生する場合がある。これらの変状は、レールの敷設されている環境条件だけでなく、製造時に用いられたＰＣまくらぎの材料の配合や材質等に起因する可能性がある。このような変状発生の原因究明には、ＰＣまくらぎを製造したメーカをトレースし、そのメーカが選定した材料の配合や材質等を調査することが不可欠である。しかし、ＰＣまくらぎに付された刻印の内容が判別できない場合は、変状発生の原因究明に支障を来たすおそれがあった。
【０００８】
そこで、本発明は、上記課題を解決するためになされたものであって、経年とともに風化するおそれのない表示を備えることで、刻印の表示が判別できなくなるのを防ぐことができるＰＣまくらぎを提供することを目的としている。
【課題を解決するための手段】
【０００９】
上記目的を達成するため、本発明に係るＰＣまくらぎでは、まくらぎ本体の所定の情報を表示する表示部を備えたプレストレストコンクリート製のＰＣまくらぎであって、前記表示部は、色彩の異なる複数の棒状体からなり、それら棒状体を所定の表示情報に対応させて並設し、且つ、それら並設された棒状体の端面が前記まくらぎ本体の表面に表れるようにそのまくらぎ本体に埋設したことを特徴としている。
【００１０】
上記構成に係るＰＣまくらぎは、表示部が色彩の異なる複数の棒状体で生成されているので、色彩の配列は、まくらぎ本体の製造年から数十年経過しても確認することが可能となり、つまり、まくらぎ本体の寿命が尽きるまで色彩の配列が変化することなく確認することができ、表示部の表示情報を経年に関係なく確認することができる。このため、経年とともに表示部が風化するおそれのないものとなり、刻印の表示が判別できなくなるのを防止することができる。
【００１１】
また、本発明に係るＰＣまくらぎでは、本発明に係るＰＣまくらぎは、棒状体はカラーモルタルからなることを特徴としている。
【００１２】
上記構成に係るＰＣまくらぎは、カラーモルタル製であるので、容易に、かつ、安価に製造することができるとともに、まくらぎ本体のコンクリートとの親和性、接着性及び耐久性に優れたものとすることができる。
【００１３】
上記構成に係るＰＣまくらぎでは、棒状体は所定長さを有する直方体からなることが好ましい。
【００１４】
上記構成に係るＰＣまくらぎは、直方体からなる棒状体であるから、隣接する棒状体に対して安定的に並設することができる。
【００１５】
また、本発明に係るＰＣまくらぎでは、並設された棒状体の端面の表れるまくらぎ本体の面が、列車の走行するレールを支える面であることが好ましい。
【００１６】
上記構成に係るＰＣまくらぎは、並設された棒状体の端面がレールを支える上面に表れることから、棒状体の端面を容易に認識することができる。
【発明の効果】
【００１７】
本発明のＰＣまくらぎによれば、経年とともに風化するおそれのない表示を備えることで、刻印の表示が判別できなくなるのを防ぐことができる。したがって、本発明に係るＰＣまくらぎは、製造直後の初期段階の変状だけでなく、塩害等の経年とともに発生する変状の原因究明にも資することができる。
【図面の簡単な説明】
【００１８】
【図１】本発明の実施の形態によるＰＣまくらぎの平面図である。
【図２】図１に示すＰＣまくらぎの正面図である。
【図３】（ａ）はＰＣまくらぎに用いられる第１表示部の斜視図、（ｂ）は第２表示部の斜視図ある。
【図４】（ａ）〜（ｄ）は、ＰＣまくらぎの第１表示部の表示例である。
【図５】（ａ）、（ｂ）は、ＰＣまくらぎの第２表示部の表示例である。
【発明を実施するための形態】
【００１９】
以下、本発明によるＰＣまくらぎの実施の形態について、図面を用いて説明する。なお、本発明は、この実施の形態により限定されるものではなく、また、下記の実施の形態における構成要素には、当業者が置換可能かつ容易なもの、あるいは実質的に同一ものも含まれる。
【００２０】
本発明の実施の形態に係るＰＣまくらぎ１は、図１及び図２に示されるように、まくらぎ本体２の列車の走行するレール３ａ，３ｂを支える面の一方側（図示の例では左側）の端部付近の見やすい位置に第１表示部１０が設けられているとともに、その面の他方側の端部付近の見やすい位置に第２表示部２０を設けて構成されている。
【００２１】
まくらぎ本体２は、周知のＰＣまくらぎの本体と同様に、図示しないが、その内部にはＰＣ鋼線等からなるＰＣ鋼材が埋設されている。また、このまくらぎ本体２は、周知のＰＣまくらぎの本体と同様に、コンクリート製である。したがって、このまくらぎ本体２は、繰り返して作用する電車荷重に対処でき、しかも、木製のまくらぎに比べて天候等の自然環境の影響も受けにくく、寿命が長くなる等の優れた特長を有している。
【００２２】
第１表示部１０は、列車の走行するレール３ａ，３ｂを支えるまくらぎ本体２の面の一方側の端部付近の見やすい位置で、かつ、一端部側がまくらぎ本体２の面に表れるようにしてまくらぎ本体２に埋設されている。すなわち、これらの表示部１０，２０は、周知のＰＣまくらぎと同様の箇所に設けられている。なお、列車の走行するレール３ａ，３ｂを支えるまくらぎ本体２の「面」は、まくらぎ本体２が敷設されたときは地面に対して上向きとなるので、以下、「上面」として説明する。
【００２３】
この第１表示部１０は、図３（ａ）に示されるように、４本の直方体からなる棒状体１１〜１４を並設して構成されている。この並設は、棒状体１１〜１４が直方体からなるので、安定して一つの束状に生成することができる。そして、各棒状体１１〜１４は、同一形状を呈したカラーモルタルで生成されている。各棒状体１１〜１４の直方体形状は、まくらぎ本体２の上面側に位置する端面が正方形であり、まくらぎ本体２の内部に埋設される部分の長さ（上下方向の長さ寸法）は、その正方形の一辺の長さより少し長くなるように決められている。その具体的形状は、４本の直方体からなる棒状体１１〜１４を並設してまくらぎ本体２に埋設したときでも、まくらぎ本体２の断面欠損を最小限にできるように決められている。各棒状体１１〜１４の寸法の一例は、端面の正方形の一辺の長さが２０ｍｍ、埋設される部分の長さが３０ｍｍとされる。
【００２４】
各棒状体１１〜１４は、互いに色彩が異なるように生成されている。図示の例では、棒状体１１は黒色に、棒状体１２は黄色に、棒状体１３は緑色に、そして棒状体１４は赤色に生成されている。なお、図３〜図５中の（Ｂ）は黒色、（Ｙ）は黄色、（Ｇ）は緑色、（Ｒ）は赤色をそれぞれ表わしている。
【００２５】
直方体形状のカラーモルタルからなる各棒状体１１〜１４の配列は、第１表示部１０の表示情報によって決められている。図示の例では、黒色の棒状体１１を中心に説明すると、黒色の棒状体１１の右側に黄色の棒状体１２が、黒色の棒状体１１の下側に緑色の棒状体１３が、そして、黒色の棒状体１１の右下側（黄色の棒状体１２の下側で、かつ、緑色の棒状体１３の右側）に赤色の棒状体１４が配置されている。そして、これら棒状体１１〜１４が結束してまくらぎ本体２に埋設されている。なお、色彩の配列の示す内容については後述する。
【００２６】
直方体形状のカラーモルタルからなる各棒状体１１〜１４は、周知のカラーセメントモルタルを作る要領で容易に製造することができる。すなわち、各棒状体１１〜１４は、セメント、砂、所定色彩の無機顔料を混合した材料に水を加えて練り上げたてスラリーを生成し、その生成したスラリーを各棒状体１１〜１４の外形に相当する空間を有する型枠に投入し、養生させて製造することができる。後述する各棒状体２１〜２６も、同様にして製造される。
【００２７】
第２表示部２０は、図３（ｂ）に示されるように、６本の直方体からなる棒状体２１〜２６を並設して構成されている。すなわち、この第２表示部２０は、まくらぎ本体２の長手方向に並設された３個の棒状体２１〜２３と、これら棒状体２１〜２３の下側に並設された３個の棒状体２４〜２４とで構成されている。説明の便宜上、棒状体２１〜２３は上側棒状体２０ａとし、棒状体２４〜２４は下側棒状体２０ｂとして説明する。
【００２８】
上側棒状体２０ａ及び下側棒状体２０ｂを構成する各棒状体２１〜２６は、上述した第１表示部１０の棒状体１１〜１４と同様に、カラーモルタルで生成されている。各棒状体２１〜２６の直方体形状は、まくらぎ本体２の上面側に位置する端面が長方形であり、まくらぎ本体２の内部に埋設される部分の長さは、その長方形の長辺の長さとほぼ同じとなるように決められている。その具体的形状は、６本の直方体からなる棒状体２１〜２６を並設してまくらぎ本体２に埋設したときでも、まくらぎ本体２の断面欠損を最小限にできるように決められている。各棒状体２１〜２６の寸法の一例は、端面の長方形の短辺の長さが２０ｍｍ、長辺の長さが３０ｍｍ、埋設される部分の長さが３０ｍｍとされる。
【００２９】
上側棒状体２０ａの各棒状体２１〜２３は、端面側が互いに色彩が異なるように生成されている。図示の例では、棒状体２１は黒色、棒状体２２は黄色、棒状体２３は緑色にそれぞれ生成されている。そして、これら棒状体２１〜２３は、隣接する端面の長方形の短辺側が接するように並設されている。この並設は、棒状体２１〜２３が直方体からなるので、安定して一つの束状に生成することができる。
【００３０】
下側棒状体２０ｂの各棒状体２４〜２６も、端面側が互いに色彩が異なるように生成されている。図示の例では、棒状体２４は緑色、棒状体２５は赤色、棒状体２６は黒色にそれぞれ生成されている。そして、これら棒状体２１〜２３は、隣接する端面の長方形の短辺側が接するように並設され、さらに、下側棒状体２０ｂの上辺側が上側棒状体２０ａの下辺側と接するように並設されている。この並設は、棒状体２４〜２６が直方体からなるので、安定して一つの束状に生成することができる。また、棒状体２１〜２３からなる上側棒状体２０ａと棒状体２４〜２６からなる下側棒状体２０ｂとの並設も、直方体からなるので、安定して一つの束状に生成することができる。
【００３１】
上述した第１表示部１０及び第２表示部２０のまくらぎ本体２への埋設は、まくらぎ本体２の製造時にそのまくらぎ本体２と一体的に製造される。すなわち、第１表示部１０及び第２表示部２０のまくらぎ本体２への埋設は、まくらぎ本体２を製造する型枠の所定位置に第１表示部１０を形成する棒状体１１〜１４及び第２表示部２０を形成する棒状体２１〜２６をそれぞれ配置し、その後、型枠にコンクリートを打設することにより行われる。なお、第１表示部１０の棒状体１１〜１４及び表示部２０の棒状体２１〜２６の配置にあたっては、予め棒状体１１〜１４を接着剤等を用いて一つのブロック体とするとともに、予め棒状体２１〜２６を接着剤等を用いて一つのブロック体としておくようにしてもよい。
【００３２】
以下に、第１表示部１０及び第２表示部２０のそれぞれの表示情報について図４及び図５を用いて説明する。
【００３３】
図４（ａ）に示される第１表示部１０の色彩配列は、図３（ａ）に示される第１表示部１０の色彩配列と同様の色彩配列であり、この色彩配列は、まくらぎ本体２の製造年の下三桁を示している。また、色彩配列を図４（ｂ）に示される第１表示部１０ａのようにしたときは、第１表示部１０と異なる製造年の下三桁を示すことができる。このように、第１表示部１０，１０ａの色彩配列は、互いに色彩の異なる４本の棒状体１１〜１４からなるので、４本の棒状体１１〜１４の組み合わせによる表示の種類は、４４＝２５６であるから２５６種の表示が可能となり、２５６年の製造年に対応させることができる。
【００３４】
図４（ｃ）に示される第１表示部１０ｂ及び図４（ｄ）に示される第１表示部１０ｃは、第１表示部の他の例を示している。これら第１表示部１０ｂ，１０ｃは、図４（ａ），（ｂ）に示される第１表示部１０，１０ａが４本の棒状体１１〜１４からなるのに対して、それぞれ２本の互いに色彩の異なる棒状体で構成されている。
【００３５】
図４（ｃ）に示される第１表示部１０ｂは、１本が上述した第１表示部１０，１０ａの４本の棒状体１１〜１４のうちの１本と同様の形状を呈し、他の１本が残りの３本の棒状体を一つとしたＬ字形状を呈している。この第１表示部１０ｂにおいても、色彩と配列を適宜選択することにより複数年の製造年に対応させることができる。
【００３６】
図４（ｄ）に示される第１表示部１０ｃは、１本が上述した第１表示部１０，１０ａの４本の棒状体１１〜１４のうちの２本の棒状体１１，１２を合体した形状を呈し、他の一本が残りの２本の棒状体１３，１４を合体した形状を呈している。この第１表示部１０ｃにおいても、色彩と配列を適宜選択することにより複数年の製造年に対応させることができる。
【００３７】
図５（ａ）は、第２表示部２０の上側棒状体２０ａの色彩配列であり、この色彩配列は、まくらぎ本体２の製造メーカを示している。このように、上側棒状体２０ａの色彩配列は、互いに色彩の異なる３本の棒状体２１〜２３からなるので、３本の棒状体２１〜２３の組み合わせによる表示の種類は、３３＝６４となるから６４社の表示が可能である。なお、現在のＰＣまくらぎの製造メーカは、１１社である。
【００３８】
図５（ｂ）は、第２表示部２０の下側棒状体２０ｂの色彩配列であり、この色彩配列は、まくらぎ本体２の種別を示している。このように、下側棒状体２０ｂの色彩配列は、互いに色彩の異なる３本の棒状体２４〜２６からなるので、３本の棒状体２４〜２６の組み合わせによる表示の種類は、３３＝６４となるから６４種の表示が可能である。なお、現在のＰＣまくらぎの種類は、１７種である。
【００３９】
上記構成からなるＰＣまくらぎ１は、まくらぎ本体２の上面の一方側の端部付近の見やすい位置に、互いに色彩の異なる４本の棒状体１１〜１４からなる第１表示部１０が埋設されて、まくらぎ本体２の製造年が表示されるように構成されている。そして、そのまくらぎ本体２の上面の他方側の端部付近の見やすい位置には、第２表示部２０が埋設されて、まくらぎ本体２の製造メーカ及び種別がそれぞれ表示されように構成されている。すなわち、第２表示部２０の上側には、互いに色彩の異なる３本の棒状体２１〜２３からなる上側棒状体２０ａが埋設されて、まくらぎ本体２の製造メーカが表示されるように構成されているとともに、その上側棒状体２０ａの下側には、互いに色彩の異なる３本の棒状体２４〜２６からなる下側棒状体２０ｂが埋設されて、まくらぎ本体２の種別が表示されるように構成されている。
【００４０】
上記構成からなるＰＣまくらぎの作用について、図面に基づいて説明する。
上記構成からなるＰＣまくらぎ１の第１表示部１０及び第２表示部２０は、カラーモルタルからなる棒状体１１〜１４，２１〜２６でそれぞれ生成されているので、両表示部１０，２０の表示情報は、いわゆる金太郎飴と同様に棒状体のどの位置を切っても同じ配色を得ることができる。したがって、まくらぎ本体２の製造年から数十年経過してまくらぎ本体２とともに棒状体１１〜１４，２１〜２６も風化して短くなっても、両表示部１０，２０の表示情報を明瞭に確認することができる。このため、上記構成からなるＰＣまくらぎ１は、経年とともに風化するおそれのない表示部を備えたものとなり、刻印の表示が判別できなくなるのを防止することができる。
また、製造直後の初期段階の変状だけでなく、塩害等の経年とともに発生する変状の原因究明にも資することができる。
【００４１】
しかも、上記構成からなる第１表示部１０及び第２表示部２０は、カラーモルタルからなる棒状体１１〜１４，２１〜２６からなるので、安価に製造することができるだけでなく、まくらぎ本体２を形成するコンクリートとの親和性、接着性及び耐久性に優れるという特長を有している。もちろん、これら表示部１０，２０は、カラーのプラスチック等の他の材質とすることもできる。しかし、まくらぎ本体２を形成するコンクリートとの親和性等から上述したカラーモルタル製が好ましい。
【００４２】
上記構成からなる第１表示部１０及び第２表示部２０の表示情報の読み取りは、作業員が目視により判別することができる。もちろんこれら表示部１０，２０の表示情報の読み取りは、ＣＣＤカメラを搭載した携帯端末機で読み取り、その読み取られたデータと記憶してあるデータとを照合してまくらぎ本体２の製造年、製造メーカ及び種別を判別することもできる。
【００４３】
また、上記構成からなる第１表示部１０及び第２表示部２０は、色彩の異なる棒状体１１〜１４，２１〜２６を所定の表示情報に従ってそれぞれ配列して構成されているので、色彩の配列は、ＱＲコード（登録商標）と同様のデータ配列を呈している。したがって、各表示部１０，２０には、多くの情報を持たせることができるので、表示部をいずれか一方側とすることもできる。
また、表示部は多くの情報を持たせることができるので、表示部に含ませる情報も、まくらぎ本体の製造年、製造メーカ及び種別の他に、まくらぎ本体の材料、材質、配合割合等の他の情報も包含させることも可能である。
【００４４】
以上、本発明によるＰＣまくらぎの実施の形態について説明したが、本発明は上記の実施の形態に限定されるものではなく、その趣旨を逸脱しない範囲で適宜変更可能である。
【符号の説明】
【００４５】
１  ＰＣまくらぎ
２  まくらぎ本体
３ａ，３ｂ  レール
１０，１０ａ，１０ｂ，１０ｃ  第１表示部
１１〜１４  棒状体
２０  第２表示部
２０ａ  上側棒状体
２０ｂ  下側棒状体
２１〜２６  棒状体
【図１】
2015140589.tif 000003
【図２】
2015140589.tif 000004
【図３】
2015140589.tif 000005
【図４】
2015140589.tif 000006
【図５】
2015140589.tif 000007